(57)【要約】【課題】            紐ロールの交換や残量確認を容易に行うことができる自動結束機を提供すること。【解決手段】        テーブル上の被結束物に紐100を巻き付けて結束する結束機本体２と、テーブル側に配置され、結束機本体２に紐100を供給する紐ロール200を載置する紐ロール載置台３と、紐ロール載置台３に載置された紐ロール200の紐100を結束機本体２へガイドする供給用紐ガイドを具備する自動結束機。結束機本体２は、テーブルの下部に配置され結束機本体２を作動・停止させるペダル６を有し、紐ロール載置台３は、ペダル６の操作範囲を除くテーブルの下部に配置される。【選択図】          図１
0003200924.tif 000002
【実用新案登録請求の範囲】
【請求項１】
テーブル上の被結束物に紐を巻き付けて結束する結束機本体と、
前記テーブル側に配置され、前記結束機本体に前記紐を供給する紐ロールを載置する紐ロール載置台と、
を具備することを特徴とする自動紐掛結束機。
【請求項２】
前記紐ロール載置台に載置された紐ロールの紐を前記結束機本体へガイドする供給用紐ガイドを具備することを特徴とする請求項１記載の自動紐掛結束機。
【請求項３】
前記結束機本体は、前記テーブルの下部に配置され前記結束機本体を作動・停止させるペダルを具備し、
前記紐ロール載置台は、前記ペダルの操作範囲を除く前記テーブルの下部に配置されることを特徴とする請求項１又は２記載の自動紐掛結束機。
【請求項４】
前記紐ロール載置台は、前記ペダルの両側に前記紐ロールを載置可能な略凹状に形成されることを特徴とする請求項３記載の自動紐掛結束機。
【請求項５】
前記紐ロール載置台は、前記紐ロールの穴に嵌挿可能な紐ロール固定棒と、当該紐ロールを紐ロール固定棒に嵌挿した際に紐ロールを当該紐ロール固定棒に係止する係止手段を有することを特徴とする請求項１ないし４のいずれかに記載の自動紐掛結束機。
【考案の詳細な説明】
【技術分野】
【０００１】
本考案は、梱包作業、特に紐かけ作業を自動的に行う自動紐掛結束機に関するものである。
【背景技術】
【０００２】
従来、ポリエチレン製の紐100を通したアームをモータの力でテーブル92のまわりに回転させて、テーブル上に配置した被結束物に紐をかけ、結び、切断する自動紐掛結束機９がある（図４参照）。従来の自動紐掛結束機９においては、使用する紐ロール200を載置する載置台93が、テーブル91,92を正面として左側面側あるいは背面側に設置されていた（例えば、特許文献１）。
【０００３】
【特許文献１】特許第３４０７２０２号
【考案の開示】
【考案が解決しようとする課題】
【０００４】
しかしながら、載置台93が自動紐掛結束機９の背面側あるいは左側面側に配置されていると、自動紐掛結束機９の設置場所によっては、紐ロール200の交換作業を行うために当該装置９の位置を変える必要が生じていた。
【０００５】
また、載置台93の位置が自動紐掛結束機９の背面側あるいは左側面側に配置されていると、紐100の残量が判り難いため紐ロール200を使い果たしてしまい、自動紐掛結束機９に紐100を初めから通さなければならないことがあった。紐100は自動紐掛結束機９を使用している時になくなるため、あわてて紐通しを行うと、通し順序を間違えてしまい、結束不良や故障の原因となることもある。
【０００６】
そこで本考案は、紐ロールの交換や残量確認を容易に行うことができる自動紐掛結束機を提供することを目的とする。
【課題を解決するための手段】
【０００７】
上記目的を達成するために、本考案の自動紐掛結束機は、テーブル上の被結束物に紐を巻き付けて結束する結束機本体と、前記テーブル側に配置され、前記結束機本体に前記紐を供給する紐ロールを載置する紐ロール載置台と、を具備することを特徴とする。
【０００８】
この場合、前記紐ロール載置台に載置された紐ロールの紐を前記結束機本体へガイドする供給用紐ガイドを具備する。
【０００９】
また、前記結束機本体は、前記テーブルの下部に配置され前記結束機本体を作動・停止させるペダルを具備し、前記紐ロール載置台は、前記ペダルの操作範囲を除く前記テーブルの下部に配置される方が好ましい。例えば、前記紐ロール載置台は、前記ペダルの両側に前記紐ロールを載置可能な略凹状に形成される。
【００１０】
また、前記紐ロール載置台は、前記紐ロールの穴に嵌挿可能な紐ロール固定棒と、当該紐ロールを紐ロール固定棒に嵌挿した際に紐ロールを当該紐ロール固定棒に係止する係止手段を有する。
【考案の効果】
【００１１】
本考案の自動紐掛結束機は、紐ロールの載置台がテーブルのある自動紐掛結束機の正面側に配置されるので、紐ロールの交換や残量確認を容易に行うことができる。
【図面の簡単な説明】
【００１２】
【図１】本考案の自動紐掛結束機を示す正面側斜視図である。
【図２】本考案の自動紐掛結束機を示す左側側面図である。
【図３】本考案の自動紐掛結束機の紐案内アームを示す斜視図である。
【図４】従来の自動紐掛結束機を示す正面側斜視図である。
【考案を実施するための形態】
【００１３】
以下、本考案の自動紐掛結束機１を図１〜図３に基づき説明する。本考案の自動紐掛結束機１は、ポリエチレン製の結束紐100を使用して被結束物に紐かけ作業を自動的に行うタイプの結束機であり、テーブル上の被結束物に紐100を巻き付けて結束する結束機本体２と、テーブル側の下部に配置され、結束機本体２に紐を供給する紐ロール200を載置する紐ロール載置台３とで主に構成される。なお、以下の説明では、自動紐掛結束機１のテーブル側、すなわち作業者が作業をする側を正面側とする。
【００１４】
結束機本体２のテーブルは、固定テーブル21およびこの固定テーブル21に対して紐100が通過するだけの間隙をおいて配置された遊動テーブル22からなり、駆動軸50の回転に伴って紐案内アーム51が回動し、アーム端部を通して逐次繰り出される紐100が固定テーブル21と遊動テーブル22の間隙を通じて被結束物に巻き掛けられるようになっている。巻き掛け回数は、１回転・２回転・３回転・４回転・クロス掛け等を選択することができる。
【００１５】
固定テーブル21には被結束物を位置決めするための被結束物当て25が設けられる。被結束物は、固定テーブル21と遊動テーブル22を跨ぐようにして載置され、その右側位置が被結束物当て25により位置決めされる。また、固定テーブル21は機枠に固定され、遊動テーブル22は機枠の背部に回転自在に設けられた駆動軸50に垂下板41を介して支持される。
【００１６】
駆動軸50は、モータやチェーン等からなる駆動部（図示せず）の駆動力を伝達され、自動紐掛結束機１の正面から見て時計方向に回転するように構成される。駆動軸50には、駆動軸50の正面側から駆動軸50とほぼ直交する方向に伸びた第１アーム511と、当該第１アーム511の駆動軸50側ではない端部から駆動軸50と平行に正面側に伸びた第２アーム512とからなる紐案内アーム51が一体的に固定されている。また、紐案内アーム51には、紐100をガイドするための複数のアーム用紐ガイド52が設けられていて、その先端部は間隙に対応して配置されている。
【００１７】
また、駆動軸50は、紐100を引き通して案内するために中空に形成され、機枠に固設された軸受けにその中間部で回転自在に支持されている。紐100は、紐ロール載置台３に載置された紐ロール200から供給されるものであり、紐ロール200から繰り出された紐100は供給用紐ガイド、ブレーキ機構を経由して駆動軸50の一端から駆動軸50内を通って紐案内アーム51に供給される。ブレーキ機構は、図示しない機枠に固定されており、例えば板バネを螺子で調節可能に押圧できるような機構になっている。螺子を回して板バネを基板に押圧し、板バネと基板間を通過する紐100に適宜の摩擦力によるブレーキ力を作用させることができる。
【００１８】
ペダル６は、駆動部を作動・停止させるためのクラッチを操作するためのもので、例えば、自動紐掛結束機１の正面側のテーブル下部に配置される。ペダル６を足で踏むことにより、駆動部は作動し、足を離すことにより駆動部は停止する。
【００１９】
紐ロール載置台３は、紐案内アーム51に紐100を供給する紐ロール200を載置しておくためのものである。従来は、紐ロール載置台３が自動紐掛結束機１の背面側あるいは左側面側に配置されていた。したがって、自動紐掛結束機１の紐ロール載置台３側が壁に面していると、紐ロール200の交換作業を行うために当該装置１の位置を動かす必要が生じていた。また、紐ロール載置台３の位置が自動紐掛結束機１の背面側あるいは左側面側に配置されていると、紐100の残量が判り難いため紐ロール200を使い果たしてしまい、自動紐掛結束機１に紐100を初めから通さなければならないことがあった。紐100は自動紐掛結束機１を使用している時になくなるため、あわてて紐通しを行うと、通し順序を間違えてしまい、結束不良や故障の原因となることもあった。そこで、本願の自動紐掛結束機１においては、紐ロール載置台３をテーブルがある自動紐掛結束機１の正面側に配置した。自動紐掛結束機１のテーブル側は、作業者が被結束物に紐100を巻き付けて結束する場所であるため、必ず開放されている。したがって、紐ロール200の交換作業を行うために当該装置１の位置を変える必要がない。また、紐ロール載置台３の位置が自動紐掛結束機１の正面側に配置されているため、紐100の残量が判り易く、紐ロール200を使い果たしてしまうのを未然に防止することができる。なお、自動紐掛結束機１のテーブル下部にペダル６が配置される場合には、ペダル６の操作を邪魔することがないように、紐ロール載置台３は、ペダル６の操作範囲を除く位置に配置される。例えば、図１に示すように、紐ロール載置台３は、ペダル６の両側に紐ロール200を載置可能な略凹状に形成すれば良い。
【００２０】
紐ロール載置台３には、紐100をロール状に巻いて巻き上げた紐ロール200を１つ又は複数載置できるように形成される。図１及び図２においては、紐ロール200を２つ配置できるものを示す。紐ロール200を載置する位置には、紐ロール200の穴に嵌挿して位置決めを行うための紐ロール固定棒31を有する。また、紐ロール固定棒31には、紐ロール200を紐ロール固定棒に嵌挿した際に紐ロール200を紐ロール固定棒に係止し、紐ロール200の移動や回転等を防止する係止手段32を有していても良い。係止手段32は、例えば、図１に示すように、紐ロール固定棒31の上部に固定され、その両側に対向する向きでそれぞれ垂下する板ばねを配置し、紐ロール200を嵌挿した際に紐ロール200の穴の内面に弾性力を付勢して紐ロール200を係止するものを用いれば良い。この際、垂下する各板ばねは、中央が固定棒から離間するくの字状に形成することにより、紐ロール200の抜き差しを容易にすることができる。
【００２１】
なお、標準的な紐100としては、幅が28mm,35mm,50mmのポリエチレンテープ、ポリエチレンテープのより紐、または、綿紐（１５本〜２４本）があり、作業用途に応じて幅広く選べるようになっている。
【００２２】
また、紐ロール載置台３に載置された紐ロール200の紐100は、供給用紐ガイドによって結束機本体へガイドされる。供給用紐ガイドは、例えば図１、図２に示すように、紐ロール200の紐100を自動紐掛結束機１の背面側に案内する第１の供給用紐ガイド201、第２の供給用紐ガイド202、第３の供給用紐ガイド203、第４の供給用紐ガイド204と、当該紐100を自動紐掛結束機１の背面側にある駆動軸50へ案内する第５の供給用紐ガイド205、第６の供給用紐ガイド206、第７の供給用紐ガイド207とで構成される。各供給用紐ガイドは、それぞれ紐100を通す穴を有しており、紐ロール200の紐100が絡まったりするのを防止して、当該紐100をスムースに結束機本体へ案内する。また、紐100の方向が大きく変わり張力の掛かる場所に配置される第５の供給用紐ガイド205、第７の供給用紐ガイド207等には、紐100が切れるのを防止するために、ローラを設けても良い。
【符号の説明】
【００２３】
１  自動紐掛結束機
２  結束機本体
３  紐ロール載置台
６  ペダル
21  固定テーブル
22  遊動テーブル
25  被結束物当て
31  紐ロール固定棒
32  係止手段
50  駆動軸
51  結束紐案内アーム
100  紐
200  紐ロール
【図１】
0003200924.tif 000003
【図２】
0003200924.tif 000004
【図３】
0003200924.tif 000005
【図４】
0003200924.tif 000006